(57)【要約】【課題】立位時、座位時、臥床時の衣類更衣や排泄介助の際、介助者・被介助者の身体的、精神的負担を軽減すると共に介助時間の短縮を目的とする。【解決手段】上半身用衣類において、前身頃（８）、後ろ身頃（図２の（９））、袖部（６）を分割可能としたことにより、更衣介助の際に行なう被介助者の腕や首の曲げ伸ばしが無くなり、下半身用衣類においては、股上部（１３）と股下部（１８）を分割できるようにし、股上部（１３）は全面開閉可能としたことにより、立位時、座位時に簡単に下半身用衣類の脱ぎ着ができ、特に臥床時の排泄介助の際必要であったズボンの上げ下ろしが無くなったことにより何度も行なわなければならない被介助者の体位交換を２回で済むようになり、留め具は着衣者の身体的状態により選択し、極力自力にて更衣・排泄を促し、介助負担の軽減を行なう。【選択図】    図１
2019099985.tif 000002
【特許請求の範囲】
【請求項１】
上衣本体と下衣本体が分離しており、前記上衣本体の身頃部及び両袖部と前記下衣本体の股上部及び両股下部をそれぞれ分割可能に形成し、前記身頃部が前後に展開できるように両肩上辺と両脇下側辺に留め具を設け、前記身頃部と前記両袖部が脱着できるように両肩口に留め具を設け、前記股上部が左右に展開できるように前部と腰部に留め具を設け、前記股上部の股布が上下に展開できるように股部に留め具を設け、前記股上部と前記両股下部が脱着できるように両股下口に留め具を設けることを特徴とする介護用衣類。
【請求項２】
前記留め具は着衣者の自立度及び介護度に合わせ、面ファスナー・スライドファスナー・スナップボタン・ボタン及びベルトを含む紐並びに留めたい衣類パーツを衣類本体に係止する衣類の係止手段を前記上衣本体及び下衣本体に単一種若しくは多種混合で選択し、着用者の自力での更衣、排泄を援助または訓練、衣類の脱着作業を容易にすることを目的として取り付けられたことを特徴とする請求項１記載の介護用衣類。
【請求項３】
前記留めたい衣類パーツを衣類本体に係止する衣類の係止手段は、前記衣類パーツに延長布と留め布を設け、前記延長布は前記衣類パーツの端部から前記衣類本体の係止位置まで延長された布で形成され、前記留め布は前記延長布の端部に接続された布で形成され、着用時に前記留め布を前記衣類本体の係止位置の開口縁部に沿わせ折り曲げて留めることを特徴とする請求項２に記載の介護用衣類。
【請求項４】
前記衣類パーツは袖であり、前記上衣本体の首周り開口縁部に前記留め布を折り曲げて留めることにより襟布とすることを特徴とする請求項３に記載の介護用衣類。
【請求項５】
前記衣類パーツは股下であり、前記下衣本体の胴回り開口縁部に前記留め布を折り曲げて留めることにより腰帯布とすることを特徴とする請求項３に記載の介護用衣類。
【請求項６】
前記身頃部の両肩口と前記両袖部との接合部に保温の確保と身体保護を目的とする袖用保護カバーが設けられていることを特徴とする請求項１又は請求項２に記載の介護用衣類。
【請求項７】
前記股上部の両股下口と前記両股下部との接合部に保温の確保と身体保護を目的とする股下用保護カバーが設けられていることを特徴とする請求項１又は請求項２に記載の介護用衣類。
【発明の詳細な説明】
【技術分野】
【０００１】
本発明は介助を必要とする人の排泄、更衣介助を容易にすると共に、身体及び精神に何らかの障害を負った人が自力でも簡単に更衣でき、かつ要介助となった際の介助者・被介助者双方の精神的・肉体的ストレスを軽減する介護用衣類である。
【背景技術】
【０００２】
この種の介護用衣類は上着の身頃部と袖が繋がっているために、更衣中の着衣者は両手や首の曲げ伸ばしが必要で、ズボンでも一般的な形状つまり股上と股下が繋がっているために、脱ぎ着する際には自力または他力でズボンの上げ下ろしが完了するまで体勢を保持しなければならず、身体や精神に障害のある人がそれにより苦痛を感じると介護拒否に繋がり、介助者・着衣者双方にストレスが生まれる。
【０００３】
寝たきりの人の排泄介助では、その人の股には尿取りパッド、オムツカバー、ズボンと少なくとも３種類の紙や布があり、排泄介助の際は開脚しそれら全てを股から外さなければならず、ズボンは開脚可能な位置まで下ろす作業が必要で一般的な形状のズボンではその作業を行なうには４回から６回の体位転換を行ない、ズボンのウエスト部をその人の出っ張った臀部を左右交互に通過させるので相当な体力が必要となる。
【０００４】
臥位状態ではほとんどの人は上体や両手足を曲げているので、股上部と股下部が繋がりかつファスナー等での全開形状のズボンを着用している際の介助では、股下及び股上部の布を足の曲線に沿って元に戻すという作業が必要で、拘縮や麻痺がある人には足の曲げ伸ばしが困難なために上記布の適正位置を確認しながらの介助となるので不向きである。
【０００５】
上下つなぎ形状の介護用衣類では上半身用衣類と下半身用衣類が繋がっているために、臥床時の排泄介助の際、被介助者の体位交換を行なうと下半身用衣類が上半身に引っ張られ適正な位置からずれてしまい、それを避けるために必要のない上半身用衣類の開閉が必要で、それをせずに介助を行なうと閉じる際に再度体位転換して下半身用衣類を適正位置に合わせなければ元のように着ることができず、さらなる作業が必要となる。
【０００６】
一部の介助を行なうだけで後は自力での更衣可能な人でも健常者と同じ留め具でまたその位置も健常者と同じとなれば手足の可動域の狭さや少しの身体能力の低下だけでも全介助となる場合が多く、自力での排泄・更衣の妨げの一因となっている。
【先行技術文献】
【特許文献】
【０００７】
【特許文献１】特開２００４−２８５５４３号公報
【特許文献２】特開平０８−０８０３１９号公報
【発明の概要】
【発明が解決しようとする課題】
【０００８】
立位・座位・臥位状態での上着の脱衣・着衣介助は被介助者側には腕の袖通しや袖抜きなどの協力が必要で、介助拒否や更衣が理解できない精神状態の方には介助者が根気よく対応せざるをえず、それによりお互いにストレスが掛かり、また対応に時間をかけると介助者は不自然な姿勢のままなのでさらに肉体的かつ精神的ストレスが大きくなる。
【０００９】
また、臥位状態での更衣介助ではズボンの上げ下ろしの際、介助者は相当な力や不自然な体勢が必要となりそれにより介助者は体力が必要で腰の痛みなどにも悩まされる。
【００１０】
臥位状態の排泄介助では被介助者は４回から６回もの体位交換が必要である。
【００１１】
ある程度自立して更衣・排泄介助が自力で行える人でも衣類に使用されている留め具によっては介助が必要で、留め具が原因で自立度が低下する。
【００１２】
また、医療や介護現場において、治療時又は介助時には仰臥位や側臥位での衣類の脱着が必要になる。しかし、そのような状態での衣類脱着は、上衣では袖や身頃の抜き差し、下衣では股上の臀部通過が、着用者や脱着作業者の双方に肉体的負担がかかる。また、臥位状態での排泄介助では、下衣の上げ下ろしの際、何度も体位転換をしなければならず、この介助も被介助者や介助者の双方に負担が強いられる。
そこで、上衣では前後の身頃部や袖部を脱着可能にする、下衣では股上部と股下部を脱着可能にすれば、お互いの負担が軽くなる。そのためには、袖部は身頃部と、股下部は股上部と、それぞれ留め具で連結させなければならない。この場合に衣類の一般的な留め具として、面ファスナー、線ファスナー、ボタン、ベルト、紐などが用いられる。しかし、面ファスナーは他の繊維と結合し易く扱い難い、それ以外の留め具は作業時間がかかるという問題を有している。
【課題を解決するための手段】
【００１３】
本発明に係る介護用衣類は、上衣本体（１）と下衣本体（２）が分離しており、前記上衣本体（１）の身頃部（８）、（９）及び両袖部（６）と前記下衣本体（２）の股上部（１３）及び両股下部（１８）をそれぞれ分割可能に形成する。
【００１４】
また、本発明は前記身頃部（８）、（９）が前後に展開できるように両肩上辺に肩用留め具（３）と両脇下側辺に身頃用留め具（７）を設け、前記身頃部（８）、（９）と前記両袖部（６）が脱着できるように両肩口に袖用留め具（５）を設けて構成している。
【００１５】
また、本発明は前記股上部（１３）が左右に展開できるように前部に股上用留め具（１４）と腰用留め具（１２）を設け、前記股上部（１３）の股布（１６）が上下に展開できるように股部に股布用留め具（１５）を設け、前記股上部（１３）と前記両股下部（１８）が脱着できるように両股下口に股下用留め具（１７）を設けて構成している。
【００１６】
また、本発明は上衣本体（１）・下衣本体（２）に使用する全ての留め具は着衣者の自立度及び介護度に合わせ、面ファスナー・スライドファスナー・スナップボタン・ボタン及びベルトを含む紐並びに留めたい衣類パーツを衣類本体に係止する衣類の係止手段を前記上衣本体及び下衣本体に単一種若しくは多種混合で選択し、着用者の自力での更衣、排泄を援助または訓練を目的として取り付けられたことを特徴とする構成である。
ここで、留めたい衣類パーツを衣類本体に係止する衣類の係止手段は、衣類パーツに延長布と留め布を設け、延長布は衣類パーツの端部から衣類本体の係止位置まで延長された布で形成され、留め布は延長布の端部に接続された布で形成され、着用時に留め布を衣類本体の係止位置の開口縁部に沿わせ折り曲げて留めることを特徴とする。
【００１７】
また、本発明は前記身頃部（８）、（９）の両肩口と前記両袖部（６）との接合部に保温の確保と身体保護を目的とする袖用保護カバー（４）が設けられていることを特徴とする構成である。
【００１８】
また、本発明は、前記股上部（１３）の両股下口と前記両股下部（１８）との接合部に保温の確保と身体保護を目的とする股下用保護カバー（２０）が設けられていることを特徴とする構成である。
【発明の効果】
【００１９】
本発明の介護用衣類は、前身頃（８）、後ろ身頃（９）と袖（６）が分割でき、下半身用衣類では股上部（１３）と股下部（１８）が分割可能になり、左右の股下部（１８）も簡単に膝下まで引き下ろせ、股布（１６）と腰用留め具（１２）、股上用留め具（１４）、股布用留め具（１５）、股下用留め具（１７）を外すことによって股上部（１３）が全開できることから被介助者に協力動作を要求しなくても容易に脱ぎ着できるため介助者・被介助者双方の肉体的、精神的ストレスが軽減できる。
【００２０】
上記下半身用衣類の構成によって左右の股下部（１８）が簡単に外れ、股上部（１３）が全開可能となるので、臥位状態の排泄介助でもオムツが簡単に露出し、その時被介助者の左右への体位交換が尿取りパッド交換時のみの２回で済む。
【００２１】
着衣者の身体的状態、例えば手足の可動域に合わせて留め具の種類や位置を使い分けることによって、自力での更衣・排泄を促せるので、自立度の低下を防げると共に、介助者の負担軽減にも繋がる。
【００２２】
さらに、留め具の構成について、留めたい衣類パーツを衣類本体に係止する衣類の係止手段を選択した場合、留めたい衣類パーツに延長布と留め布が接続されているため、着用時に衣類パーツを留めたいときは、留め布が付いた延長布を衣類本体に潜り込ませて開口縁部に沿わせて折り曲げ引っ掛けるだけで簡単に留めることができる。また、衣類本体から衣類パーツを外したいときは、折り曲げている留め布を元に戻し引き抜くだけで簡単に外すことができるので、衣類の脱着作業が極めて容易になる。
【図面の簡単な説明】
【００２３】
【図１】上半身用衣類と下半身用衣類を正面から見た図である。
【図２】上半身用衣類と下半身用衣類の半身を開いた図である。
【図３】上半身用衣類を前身頃、後ろ身頃を分解した左側面図と上面図である。図中（７ｃ）及び（７ｄ）は右側に設置した身頃用留め具を表す。
【図４】上半身用衣類の左右袖部のみの図である。
【図５】下半身用衣類を股上と股下を分解し、かつ股上を左右に開いた図である。
【図６】衣類の係止手段の断面構造を示す説明図である。
【図７】衣類の係止手段を用いた上衣の一例を示す正面図である。
【図８】図７に示す衣類の係止手段（袖と延長布と留め布）の説明図である。
【図９】衣類の係止手段を用いた下衣の一例を示す正面図である。
【図１０】図９に示す衣類の係止手段（股下と延長布と留め布）の説明図である。
【発明を実施するための形態】
【００２４】
図１乃至図３に示すように上衣本体の両肩口上辺部に肩用留め具（３）を設け、肩用留め具（３ａ）と（３ｂ）及び（３ｃ）と（３ｄ）それぞれ対になり肩口部を開閉可能とするが、着衣者の身体状況により片側のみに留め具を設け、もう一方は無開閉とする場合も有りうる。
【００２５】
図１乃至図３に示すように上衣本体の両脇下から腰までの身頃側辺に身頃用留め具（７）を設け、 （７ａ）と（７ｂ）及び（７ｃ）と（７ｄ）それぞれ対になり開閉可能とするが、着衣者の身体状況により片側のみに留め具を設け、もう一方は無開閉とする場合も有りうる。
【００２６】
図３に示すように上記段落番号「００２４」及び「００２５」より前身頃（８）、後ろ身頃（９）を分割可能とするが、着衣者の身体状況や使い勝手を考慮して留め具を片側だけにし、片側のみが開閉可能となる場合もある。
【００２７】
図４に示すように袖部（６）は袖ぐり用ゴム（１０）と袖用留め具（５）を設け着脱可能とし、その接合部には保温と身体の保護のため図３に示すように袖用保護カバー（４）を設けたが、着衣者の身体状況により袖部の脱着は片側のみとなる場合もあり、袖用留め具（５）の位置も前記理由から図面の位置とは限らない。また、袖用留め具（５）については、後述する留めたい衣類パーツを衣類本体に係止する衣類の係止手段を選択した場合、衣類の脱着作業が極めて容易になる。
【００２８】
図１・図２又は図５に示すように股上部（１３）は腰用留め具（１２）、股上用留め具（１４）と股布（１６）、股布用留め具（１５）を設け、それぞれ（１２ａ）が対に、（１５ａ）が対に、（１５ｂ）が対になるように使用して左右へ全面開閉可能とした。
【００２９】
図１・図２又は図５の腰用留め具（１２）、股上用留め具（１４）は股上部の中心に配置しているが、着衣者の自立を促す目的から利便性を考慮して中心に配置するとは限らず、その際の股布（１６）の形状及び股布用留め具（１５）の有無は着衣者の身体状態に合わせる。
【００３０】
図５に示す左右の股下部（１８）は、上部つまり足の付け根部に股下用ゴム（１９）と股下用留め具（１７）を設け、各々（１７ａ）が対に、（１７ｂ）が対になるように使用して着脱可能としたが、その留め具の位置は着衣者の身体状況により図面の位置とは限らない。また、股下用留め具（１７）については、後述する留めたい衣類パーツを衣類本体に係止する衣類の係止手段を選択した場合、衣類の脱着作業が極めて容易になる。
【００３１】
図１・図２又は図５に示すように股上部（１３）と股下部（１８）の接合部に股下用保護カバー（２０）を設ける。
【００３２】
各留め具は面ファスナー・スライドファスナー・スナップボタン・ボタン及びベルトを含む紐並びに留めたい衣類パーツを衣類本体に係止する衣類の係止手段を着用者の自立度及び介護度に合わせて各々選択して設けるが、設置例として片側麻痺が有る場合、着衣者の使い勝手を考慮して身頃部の片側肩口をスナップボタンにし、もう一方の肩口は無開閉に、さらに脇下の開閉部は手の可動域を考慮して上側を面ファスナーで下側を紐にするなど下衣も含めて着衣者の要望に応え自立度を促す。
【００３３】
次に、留め具の構成について、留めたい衣類パーツを衣類本体に係止する衣類の係止手段を選択した場合の実施例について説明する。図６は、衣類の係止手段の断面構造を示す説明図である。図６に示すように、衣類の係止手段は、衣類本体３０に留めたい衣類パーツ３１を係止するものである。衣類パーツ３１には、延長布３２と留め布３３が接続されている。
【００３４】
延長布３２は、衣類パーツ３１の端部（縫着部）３１１から衣類本体３０の開口縁部３０１まで延長された布で形成される。延長布３２の材質は、薄手の綿生地や通気性の良いメッシュ生地などが好ましい。
【００３５】
留め布３３は延長布３２の端部（縫着部）３２１に接続された布で形成される。留め布３３の材質は、衣類本体３０の布と同じ材質又は伸縮性のあるニット編みされた材質を使用し、衣類本体３０の開口縁部３０１に折り曲げて留めた状態において抜け落ちを防止するため袋状に縫製してその内部に保形性及び柔軟性を有する芯部材（図示省略）を備えておくのが好ましい。また、留め布３３は、部分的な引っ張りが起きた場合に衣類本体３０の開口縁部３０１からの抜け落ちを防止できるものであればよく、硬度のある厚手の生地を採用してもよい。
【００３６】
図７は衣類の係止手段を用いた上衣の一例を示す正面図、図８は図７に示す衣類の係止手段（袖と延長布と留め布）の説明図である。
図７又は図８に示すように、本実施例で留めたい衣類パーツ３１は袖であり、衣類パーツ３１には、延長布３２と留め布３３が接続されている。衣類本体３０の上衣の首周りの開口縁部に留め布３３を折り曲げて留めることにより襟布とすることができる。なお、本実施例の図面には、図１乃至図３に示す肩用留め具３及び身頃用留め具７を省略しているが、上述したように着衣者の身体状況により両側又は片側一方のみに肩用留め具３及び身頃用留め具７を設けると開閉可能となる。
着用時に衣類パーツ３１の袖を留めたいときは、留め布３３が付いた延長布３２を上衣の肩部内側に潜り込ませ、留め布３３を首周りの開口縁部に沿わせて折り曲げ引っ掛けて留める。衣類パーツ３１の袖を外したいときは、折り曲げている留め布３３を元に戻し引き抜くと簡単に外れる。
【００３７】
図９は衣類の係止手段を用いた下衣の一例を示す正面図、図１０は図９に示す衣類の係止手段（股下と延長布と留め布）の説明図である。
図９又は図１０に示すように、本実施例で留めたい衣類パーツ３１は股下であり、衣類パーツ３１には、延長布３２と留め布３３が接続されている。衣類本体３０の下衣の胴回りの開口縁部に留め布３３を折り曲げて留めることにより腰帯布とすることができる。なお、本実施例の図面には、図１・図２又は図５に示す股上用留め具１４及び股布用留め具１５を省略しているが、上述したように股上用留め具１４及び股布用留め具１５を設けると左右へ全面開閉可能となる。
着用時に衣類パーツ３１の股下を留めたいときは、留め布３３が付いた延長布３２を下衣の腹部・腰部内側に潜り込ませ、留め布３３を胴回りの開口縁部に沿わせて折り曲げ引っ掛けて留める。衣類パーツ３１の股下を外したいときは、折り曲げている留め布３３を元に戻し引き抜くと簡単に外れる。
【符号の説明】
【００３８】
１  上衣本体
２  下衣本体
３  肩用留め具
４  袖用保護カバー
５  袖用留め具
６  袖部
７  身頃用留め具
８  前身頃
９  後ろ身頃
１０  袖ぐり用ゴム
１１  腰用ゴム
１２  腰用留め具
１３  股上部
１４  股上用留め具
１５  股布用留め具
１６  股布
１７  股下用留め具
１８  股下部
１９  股下用ゴム
２０  股下用保護カバー
３０  衣類本体
３０１  開口縁部
３１  衣類パーツ
３１１  端部（縫着部）
３２  延長布
３２１  端部（縫着部）
３３  留め布
【図１】
2019099985.tif 000003
【図２】
2019099985.tif 000004
【図３】
2019099985.tif 000005
【図４】
2019099985.tif 000006
【図５】
2019099985.tif 000007
【図６】
2019099985.tif 000008
【図７】
2019099985.tif 000009
【図８】
2019099985.tif 000010
【図９】
2019099985.tif 000011
【図１０】
2019099985.tif 000012